(57)【要約】  本発明は、ターボストリームを受信し、ターボストリームに対するパリティ挿入領域を設けるデュプリケイター、及びノーマルストリームを受信し、デュプリケイターで処理されたターボストリームとノーマルストリームを多重化してデュアル送信ストリームを生成するマルチプレクサと、を含む。デュプリケイターは、１／２レート変換方式または１／４レート変換方式を用いてパリティ挿入領域を設けることができる。これにより、デュアル送信ストリームの送信に先立って、ターボストリームだけを検出してパリティ挿入領域内にパリティを挿入することにより、ターボストリームをより確実に処理することができるデュアル送信ストリーム生成装置を提供する。
2009513057.tif 000002
【特許請求の範囲】
【請求項１】
ターボストリームを受信し、前記ターボストリームに対するパリティ挿入領域を設けるデュプリケイター、及び
ノーマルストリームを受信し、前記デュプリケイターで処理されたターボストリームと前記ノーマルストリームを多重化してデュアル送信ストリームを生成するマルチプレクサとを含むことを特徴とするデュアル送信ストリーム生成装置。
【請求項２】
前記ターボストリームに対するリード・ソロモン・エンコーディングを行って前記デュプリケイターに提供するリード・ソロモン・エンコーダーをさらに含むことを特徴とする請求項１に記載のデュアル送信ストリーム生成装置。
【請求項３】
前記ターボストリームをインターリーブするインターリーバをさらに含むことを特徴とする請求項２に記載のデュアル送信ストリーム生成装置。
【請求項４】
前記インターリーバは、前記デュプリケイターで前記ターボストリームに対するパリティ挿入領域を設けた後に前記ターボストリームをインターリーブすることを特徴とする請求項３に記載のデュアル送信ストリーム生成装置。
【請求項５】
前記インターリーバは、前記デュプリケイターで前記ターボストリームに対するパリティ挿入領域を設ける前に前記ターボストリームをインターリーブすることを特徴とする請求項３に記載のデュアル送信ストリーム生成装置。
【請求項６】
前記デュプリケイターは、前記ターボストリームの各バイトを所定数のビット群に分け、各ビット群に対するバイトを生成して前記ターボストリームに対するパリティ挿入領域を設け、前記生成されたバイトは、前記ビット群及びパリティ挿入ビットを含み、前記パリティ挿入ビットは、前記パリティ挿入領域になることを特徴とする請求項１に記載のデュアル送信ストリーム生成装置。
【請求項７】
前記パリティ挿入ビットは、空ビット（Null  bit）であることを特徴とする請求項６に記載のデュアル送信ストリーム生成装置。
【請求項８】
前記パリティ挿入ビットは、前記ビット群の各ビット値を繰り返した値を有することを特徴とする請求項６に記載のデュアル送信ストリーム生成装置。
【請求項９】
前記デュプリケイターは、前記ターボストリームの各バイトを１／２レート変換方式によって変換して、２つのバイトを生成することを特徴とする請求項６に記載のデュアル送信ストリーム生成装置。
【請求項１０】
前記デュプリケイターは、前記ターボストリームの各バイトを４つのビットずつ分けて２つのビット群に区分し、各ビット群の各ビットごとに１つのパリティ挿入ビットを並列配置して前記２つのバイトを生成することを特徴とする請求項９に記載のデュアル送信ストリーム生成装置。
【請求項１１】
前記デュプリケイターは、前記ターボストリームを構成する各バイトを１／４レート変換方式によって変換して、４つのバイトを生成することを特徴とする請求項６に記載のデュアル送信ストリーム生成装置。
【請求項１２】
前記デュプリケイターは、前記ターボストリームを構成する各バイトを２つのビットずつ分けて４つのビット群に区分し、各ビット群の各ビットごとに３つのパリティ挿入ビットを並列配置して前記４つのバイトを生成することを特徴とする請求項１１に記載のデュアル送信ストリーム生成装置。
【請求項１３】
前記リード・ソロモン・エンコーダーは、１８４バイトのターボストリームごとに２０バイトのパリティを付加することを特徴とする請求項２に記載のデュアル送信ストリーム生成装置。
【請求項１４】
前記リード・ソロモン・エンコーダーは、前記ターボストリームから同期信号を除去することを特徴とする請求項１３に記載のュアル送信ストリーム生成装置。
【請求項１５】
前記リード・ソロモン・エンコーダーは、前記ターボストリームに対する前記パリティを決めることを特徴とする請求項１３に記載のデュアル送信ストリーム生成装置。
【請求項１６】
前記デュアル送信ストリームは、複数のパケットが連結されたフィールドを含み、前記フィールド上で予め設定された間隔おきに位置するパケットに前記ターボストリームが配置されたことを特徴とする請求項１に記載のデュアル送信ストリーム生成装置。
【請求項１７】
ターボストリームを受信し、前記ターボストリームに対するパリティ挿入領域を設ける段階、及び
ノーマルストリームを受信し、前記パリティ挿入領域が設けられたターボストリームと前記ノーマルストリームを多重化してデュアル送信ストリームを生成する段階とを含むことを特徴とするデュアル送信ストリーム生成方法。
【請求項１８】
前記受信されたターボストリームに対するリード・ソロモン・エンコーディングを行う段階をさらに含むことを特徴とする請求項１７にデュアル送信ストリーム生成方法。
【請求項１９】
前記ターボストリームをインターリーブする段階をさらに含むことを特徴とする請求項１８に記載のデュアル送信ストリーム生成方法。
【請求項２０】
前記インターリーブする段階は、前記ターボストリームに対するパリティ挿入領域を設けた後に前記ターボストリームをインターリーブすることを特徴とする請求項１９に記載のデュアル送信ストリーム生成方法。
【請求項２１】
前記インターリーブする段階は、前記ターボストリームに対するパリティ挿入領域を設ける前に前記ターボストリームをインターリーブすることを特徴とする請求項１９に記載のデュアル送信ストリーム生成方法。
【請求項２２】
前記ターボストリームに対するパリティ挿入領域を設ける段階は、
前記ターボストリームの各バイトを所定数のビット群に分ける段階、及び、
前記各ビット群に対するバイトを生成する段階と、を含み、
前記生成されたバイトは、前記ビット群及びパリティ挿入ビットを含み、前記パリティ挿入ビットは、前記パリティ挿入領域になることを特徴とする請求項１７に記載のデュアル送信ストリーム生成方法。
【請求項２３】
前記パリティ挿入ビットは、空ビットであることを特徴とする請求項２２に記載のデュアル送信ストリーム生成方法。
【請求項２４】
前記パリティ挿入ビットは、前記ビット群の各ビット値を繰り返した値を有することを特徴とする請求項２２に記載のデュアル送信ストリーム生成方法。
【請求項２５】
前記ターボストリームの各バイトを所定数のビット群に分ける段階は、前記ターボストリームを構成する各バイトを１／２レート変換方式によって変換して、２つのバイトを生成することを特徴とする請求項２２に記載のデュアル送信ストリーム生成方法。
【請求項２６】
前記ターボストリームの各バイトを所定数のビット群に分ける段階は、前記ターボストリームの各バイトを４つのビットずつ分けて２つのビット群に区分し、各ビット群の各ビットごとに１つのパリティ挿入ビットを並列配置して前記２つのバイトを生成することを特徴とする請求項２５に記載のデュアル送信ストリーム生成方法。
【請求項２７】
前記ターボストリームの各バイトを所定数のビット群に分ける段階は、前記ターボストリームの各バイトを１／４レート変換方式によって変換して、４つのバイトを生成することを特徴とする請求項２２に記載のデュアル送信ストリーム生成方法。
【請求項２８】
前記ターボストリームの各バイトを所定数のビット群に分ける段階は、前記ターボストリームの各バイトを２つのビットずつ分けて４つのビット群に区分し、各ビット群の各ビットごとに３つのパリティ挿入ビットを並列配置して前記４つのバイトを生成することを特徴とする請求項２７に記載のデュアル送信ストリーム生成方法。
【請求項２９】
前記リード・ソロモン・エンコーディングでは、１８４バイトのターボストリームごとに２０バイトのパリティを付加することを特徴とする請求項１８に記載のデュアル送信ストリーム生成方法。
【請求項３０】
前記リード・ソロモン・エンコーディングでは、前記ターボストリームから同期信号を除去することを特徴とする請求項２９に記載のデュアル送信ストリーム生成方法。
【請求項３１】
前記リード・ソロモン・エンコーディングでは、前記ターボストリームに対する前記パリティを決めることを特徴とする請求項２９に記載のデュアル送信ストリーム生成方法。
【請求項３２】
前記デュアル送信ストリームは、複数のパケットが連結されたフィールドを含み、
前記フィールド上で予め設定された間隔おきに位置するパケットに前記ターボストリームが配置されたことを特徴とする請求項１７に記載のデュアル送信ストリーム生成方法。
【請求項３３】
ターボストリームを受信し、前記ターボストリームに対するパリティ挿入領域を設けるデュプリケイターを含むデュアル送信ストリーム生成装置。
【請求項３４】
ノーマルストリームを受信し、前記デュプリケイターで処理されたターボストリームと前記ノーマルストリームを多重化してデュアル送信ストリームを生成するマルチプレクサを含むことを特徴とする請求項３３に記載のデュアル送信ストリーム生成装置。
【請求項３５】
前記ターボストリームに対するリード・ソロモン・エンコーディングを行って前記デュプリケイターに提供するリード・ソロモン・エンコーダーをさらに含むことを特徴とする請求項３３に記載のデュアル送信ストリーム生成装置。
【請求項３６】
前記ターボストリームをインターリーブするインターリーバをさらに含むことを特徴とする請求項３５に記載のデュアル送信ストリーム生成装置。
【請求項３７】
前記インターリーバは、前記デュプリケイターで前記ターボストリームに対するパリティ挿入領域を設けた後に前記ターボストリームをインターリーブすることを特徴とする請求項３６に記載のデュアル送信ストリーム生成装置。
【請求項３８】
前記インターリーバは、前記デュプリケイターで前記ターボストリームに対するパリティ挿入領域を設ける前に前記ターボストリームをインターリーブすることを特徴とする請求項３６に記載のデュアル送信ストリーム生成装置。
【請求項３９】
前記デュプリケイターは、前記ターボストリームの各バイトを所定数のビット群に分け、各ビット群に対するバイトを生成して前記ターボストリームに対するパリティ挿入領域を設け、前記生成されたバイトは、前記ビット群及びパリティ挿入ビットを含み、前記パリティ挿入ビットは、前記パリティ挿入領域になることを特徴とする請求項３３に記載のデュアル送信ストリーム生成装置。
【請求項４０】
前記パリティ挿入ビットは、空ビットであることを特徴とする請求項３９に記載のデュアル送信ストリーム生成装置。
【請求項４１】
前記パリティ挿入ビットは、前記ビット群の各ビット値を繰り返した値を有することを特徴とする請求項３９に記載のデュアル送信ストリーム生成装置。
【請求項４２】
前記デュプリケイターは、前記ターボストリームの各バイトを１／２レート変換方式によって変換して、２つのバイトを生成することを特徴とする請求項３９に記載のデュアル送信ストリーム生成装置。
【請求項４３】
前記デュプリケイターは、前記ターボストリームの各バイトを４つのビットずつ分けて２つのビット群に区分し、各ビット群の各ビットごとに１つのパリティ挿入ビットを並列配置して前記２つのバイトを生成することを特徴とする請求項４２に記載のデュアル送信ストリーム生成装置。
【請求項４４】
前記デュプリケイターは、前記ターボストリームを構成する各バイトを１／４レート変換方式によって変換して、４つのバイトを生成することを特徴とする請求項３９に記載のデュアル送信ストリーム生成装置。
【請求項４５】
前記デュプリケイターは、前記ターボストリームを構成する各バイトを２つのビットずつ分けて４つのビット群に区分し、各ビット群の各ビットごとに３つのパリティ挿入ビットを並列配置して前記４つのバイトを生成することを特徴とする請求項４４に記載のデュアル送信ストリーム生成装置。
【発明の詳細な説明】
【技術分野】
【０００１】
本発明は、デジタル放送用ノーマルストリームとターボストリームを含むデュアル送信ストリームを生成するデュアル送信ストリーム生成装置及びその方法に係り、より詳しくは、米国向けの地上波ＤＴＶシステムであるＡＴＳＣ  ＶＳＢ方式の受信性能を向上させるために、ノーマルストリームとロバスト処理されるターボストリームを含むデュアル送信ストリームを生成することにより、デジタル放送性能の向上を図るデュアル送信ストリーム生成装置及びその方法に関する。
【背景技術】
【０００２】
米国向けの地上波デジタル放送システムであるＡＴＳＣ  ＶＳＢ方式は、シングルキャリア方式であって、３１２セグメント単位でフィールド同期信号が使われている。これにより、劣悪なチャンネル、特にドップラーフェージングチャンネルにおいて受信性能が良くない。
【０００３】
図１は、一般の米国向けの地上波デジタル放送システムであって、ＡＴＳＣＤＴＶ規格による送受信機を示すブロック図である。図１のデジタル放送送信機は、フィリップ社が提案したＥＶＳＢシステムであって、基準ＡＴＳＣ  ＶＳＢシステムのノーマルデータにロバストデータを追加したデュアルストリームを形成して送信できるように構成した方式である。
【０００４】
図１に示すように、デジタル放送送信機は、デュアルストリームをランダム化させるランダム化部１１と、送信過程でチャンネル特性によって発生するエラーを訂正するために送信ストリームにパリティバイトを追加する連結された符号化器（Ｃｏｎｃａｔｅｎａｔｅｄ  ｃｏｄｅｒ）形態であるリード・ソロモン・エンコーダー１２（Ｒｅｅｄ−Ｓｏｌｏｍｏｎ  ｅｎｃｏｄｅｒ）と、ＲＳエンコードされたデータを所定パターンに従ってインターリーブするインターリーバ１３、及びインターリーブされたデータに対して２／３の比率でトレリスエンコーディングを行うことで８レベルシンボルにマッピングするトレリスエンコーダー１４と、を含み、デュアルストリームに対してエラー訂正符号化を行う。
【０００５】
また、デジタル放送送信機は、エラー訂正符号化が行われたデータに対して、図２のデータフォーマットのようにフィールド同期信号とセグメント同期信号を挿入する多重化部１５及びセグメント同期信号とフィールド同期信号が挿入されたデータシンボルに所定のＤＣ値を付加してパイロットトーンを挿入しパルス整形することでＶＳＢ変調を行い、ＲＦチャンネル帯域の信号に変換して送信する変調部１６を含む。
【０００６】
したがって、デジタル放送送信機は、ノーマルデータとロバストデータを一つのチャンネルにて送信するデュアルストリーム方式によってノーマルデータとロバストデータが多重化されて（図示せず）、ランダム化部１１に入力される。入力されたデータは、ランダム化部１１でデータランダム化され、該ランダム化されたデータはアウターコーダーとしてのリード・ソロモン・エンコーダー１２で外符号化し、インターリーバ１３で符号化されたデータを分散させる。また、インターリーブされたデータを１２シンボル単位にトレリスエンコード部１４で内符号化し、該内符号化されたデータに対して８レベルシンボルにマッピングした後、フィールド同期信号とセグメント同期信号を挿入し、その後、パイロットトーンを挿入してＶＳＢ変調をし、ＲＦ信号に変換して送信するようになる。
【０００７】
一方、図１のデジタル放送受信機は、チャンネルを通じて受信されたＲＦ信号をベースバンド信号に変換するチューナー（図示せず）と、変換されたベースバンド信号に対して同期検出及び復調を行う復調部２１と、復調された信号に対してマルチパスによって発生したチャンネル歪曲を補償する等化部２２と、等化された信号に対してエラーを訂正してシンボルデータに復号するビタビデコーダー２３と、デジタル放送送信機のインターリーバ１３によって分散されたデータを再整列するデインターリーバ２４と、エラーを訂正するＲＳデコーダー２５と、ＲＳデコーダー２５で訂正されたデータを逆ランダム化してＭＰＥＧ−２送信ストリームを出力する逆ランダム化部２６と、を含む。
【０００８】
したがって、図１のデジタル放送受信機は、デジタル放送送信機の逆過程においてＲＦ信号をベースバンド帯域に変換し、変換された信号を復調及び等化した後、チャンネルデコーディングを行ってオリジナル信号を復元する。
【０００９】
図２は、米国向けのデジタル放送（８−ＶＳＢ）システムのセグメント同期信号及びフィールド同期信号が挿入されたＶＳＢデータフレームを示す図である。図示したように、１個のフレームは、２個のフィールドから構成され、１個のフィールドは一番目セグメントである１個のフィールド同期信号セグメントと３１２個のデータセグメントから構成される。また、ＶＳＢデータフレームにおいて１個のセグメントは、ＭＰＥＧ−２パケットの１つに対応し、１個のセグメントは４シンボルのセグメント同期信号と８２８個のデータシンボルから構成される。
【００１０】
図２において、同期信号であるセグメント同期信号とフィールド同期信号は、デジタル放送受信機側で同期及び等化のために使われる。すなわち、フィールド同期信号及びセグメント同期信号は、デジタル放送送信機及び受信機の間で既に知られたデータであって、受信機側で等化を行う際の基準信号として使われる。
【００１１】
図１に示す米国向けの地上波デジタル放送システムは、既存のＡＴＳＣ  ＶＳＢシステムのノーマルデータにロバストデータを追加してデュアルストリームを形成して送信できるように構成された方式であって、既存のノーマルデータにロバストデータを乗せて一緒に送信する。
【００１２】
しかし、図１に示す米国向けの地上波デジタル放送システムでは、ロバストデータの追加によるデュアルストリームの送信にもかかわらず、既存のノーマルデータストリーム送信によるマルチパスチャンネルでの劣悪な受信性能を改善する効果はほとんどないという問題点がある。すなわち、ノーマルストリームの改善による受信性能の改善効果がほとんどないという問題点がある。また、ターボストリームに対しても、マルチパス環境で受信性能の改善効果が大きくないという問題点があった。これにより、ターボストリームをより確実に処理できる形態のデュアル送信ストリームを生成する必要性が台頭している。
【特許文献１】韓国特許公開第２００４−００６３７７９号公報
【特許文献２】韓国特許公開第２００３−００２６２３６号公報
【特許文献３】韓国特許公開第２００５−００７７２５５号公報
【特許文献４】韓国特許公開第２００２−００９４４２６号公報
【特許文献５】韓国特許公開第２００３−０００７８４７号公報
【特許文献６】米国特許公開第２００２０１９４５７０号公報
【発明の開示】
【発明が解決しようとする課題】
【００１３】
本発明は、上述したような必要に応じるために提案されたものであって、その目的は、米国向けの地上波ＤＴＶシステムであるＡＴＳＣ  ＶＳＢ方式の受信性能を向上するために、ノーマルストリームとターボストリームを含むデュアル送信ストリームを生成し、特に、ターボストリームに対してパリティ挿入のための領域を設けることでターボストリームをより確実に処理できるようにするデュアル送信ストリーム生成装置及びその方法を提供することである。
【課題を解決するための手段】
【００１４】
上述した目的を達成するための本発明の一実施の形態によるデュアル送信ストリーム生成装置は、ターボストリームを受信し、上記ターボストリームに対するパリティ挿入領域を設けるデュプリケイター、及びノーマルストリームを受信し、上記デュプリケイターで処理されたターボストリームと上記ノーマルストリームを多重化してデュアル送信ストリームを生成するマルチプレクサと、を含む。
【００１５】
好ましくは、上記ターボストリームに対するリード・ソロモン・エンコーディングを行って上記デュプリケイターに提供するリード・ソロモン・エンコーダーをさらに含んでよい。
【００１６】
より好ましくは、上記ターボストリームをインターリーブするインターリーバをさらに含んでよい。
【００１７】
好ましくは、上記インターリーバは、上記デュプリケイターで上記ターボストリームに対するパリティ挿入領域を設けた後に上記ターボストリームをインターリーブすればよい。
【００１８】
好ましくは、上記インターリーバは、上記デュプリケイターで上記ターボストリームに対するパリティ挿入領域を設ける前に上記ターボストリームをインターリーブすればよい。
【００１９】
好ましくは、上記デュプリケイターは、上記ターボストリームの各バイトを所定数のビット群に分け、各ビット群に対するバイトを生成して上記ターボストリームに対するパリティ挿入領域を設け、上記生成されたバイトは、上記ビット群及びパリティ挿入ビットを含み、上記パリティ挿入ビットは、上記パリティ挿入領域になってよい。
【００２０】
好ましくは、上記パリティ挿入ビットは、空ビットであってよい。
【００２１】
好ましくは、上記パリティ挿入ビットは、上記ビット群の各ビット値を繰り返した値を有してよい。
【００２２】
一方、上記デュプリケイターは、上記ターボストリームの各バイトを１／２レート変換方式によって変換して、２つのバイトを生成すればよい。
【００２３】
この場合、上記デュプリケイターは、上記ターボストリームの各バイトを４つのビットずつ分けて２つのビット群に区分し、各ビット群の各ビットごとに１つのパリティ挿入ビットを並列配置して上記２つのバイトを生成すればよい。
【００２４】
または、上記デュプリケイターは、上記ターボストリームを構成する各バイトを１／４レート変換方式によって変換して、４つのバイトを生成すればよい。
【００２５】
この場合、上記デュプリケイターは、上記ターボストリームを構成する各バイトを２つのビットずつ分けて４つのビット群に区分し、各ビット群の各ビットごとに３つのパリティ挿入ビットを並列配置して上記４つのバイトを生成すればよい。
【００２６】
また、好ましくは、上記リード・ソロモン・エンコーダーは、１８４バイトのターボストリームごとに２０バイトのパリティを付加すればよい。
【００２７】
好ましくは、上記リード・ソロモン・エンコーダーは、上記ターボストリームから同期信号を除去すればよい。
【００２８】
好ましくは、上記リード・ソロモン・エンコーダーは、上記ターボストリームに対する上記パリティを決めればよい。
【００２９】
また、本デュアル送信ストリーム生成装置で生成するデュアル送信ストリームは、複数のパケットが連結されたフィールドを含み、上記フィールド上で予め設定された間隔おきに位置するパケットに上記ターボストリームが配置されてよい。
【００３０】
一方、本発明の一実施の形態によるデュアル送信ストリーム生成方法は、ターボストリームを受信し、上記ターボストリームに対するパリティ挿入領域を設ける段階、及びノーマルストリームを受信し、上記パリティ挿入領域が設けられたターボストリームと上記ノーマルストリームを多重化してデュアル送信ストリームを生成する段階と、を含む。
【００３１】
好ましくは、上記受信されたターボストリームに対するリード・ソロモン・エンコーディングを行う段階をさらに含んでよい。好ましくは、上記ターボストリームをインターリーブする段階をさらに含んでよい。好ましくは、上記インターリーブする段階は、上記ターボストリームに対するパリティ挿入領域を設けた後に上記ターボストリームをインターリーブすればよい。
【００３２】
好ましくは、上記インターリーブする段階は、上記ターボストリームに対するパリティ挿入領域を設ける前に上記ターボストリームをインターリーブすればよい。好ましくは、上記ターボストリームに対するパリティ挿入領域を設ける段階は、上記ターボストリームの各バイトを所定数のビット群に分ける段階、及び、上記各ビット群に対するバイトを生成する段階と、を含み、上記生成されたバイトは、上記ビット群及びパリティ挿入ビットを含み、上記パリティ挿入ビットは、上記パリティ挿入領域になってよい。
【００３３】
好ましくは、上記パリティ挿入ビットは、空ビットであってよい。好ましくは、上記パリティ挿入ビットは、上記ビット群の各ビット値を繰り返した値を有すればよい。好ましくは、上記ターボストリームの各バイトを所定数のビット群に分ける段階は、上記ターボストリームを構成する各バイトを１／２レート変換方式によって変換して、２つのバイトを生成すればよい。
【００３４】
好ましくは、上記ターボストリームの各バイトを所定数のビット群に分ける段階は、上記ターボストリームの各バイトを４つのビットずつ分けて２つのビット群に区分し、各ビット群の各ビットごとに１つのパリティ挿入ビットを並列配置して上記２つのバイトを生成すればよい。
【００３５】
好ましくは、上記ターボストリームの各バイトを所定数のビット群に分ける段階は、上記ターボストリームの各バイトを１／４レート変換方式によって変換して、４つのバイトを生成すればよい。
【００３６】
好ましくは、上記ターボストリームの各バイトを所定数のビット群に分ける段階は、上記ターボストリームの各バイトを２つのビットずつ分けて４つのビット群に区分し、各ビット群の各ビットごとに３つのパリティ挿入ビットを並列配置して上記４つのバイトを生成すればよい。
【００３７】
好ましくは、上記リード・ソロモン・エンコーディングでは、１８４バイトのターボストリームごとに２０バイトのパリティを付加すればよい。好ましくは、上記リード・ソロモン・エンコーディングでは、上記ターボストリームから同期信号を除去すればよい。
【００３８】
好ましくは、上記リード・ソロモン・エンコーディングでは、上記ターボストリームに対する上記パリティを決めればよい。好ましくは、上記デュアル送信ストリームは、複数のパケットが連結されたフィールドを含み、上記フィールド上で予め設定された間隔おきに位置するパケットに上記ターボストリームが配置されてよい。
【発明の効果】
【００３９】
以上で説明したように、本発明によれば、米国向けの地上波ＤＴＶシステムであるＡＴＳＣ  ＶＳＢ方式の受信性能を向上させるために、ノーマルストリームとターボストリームを含むデュアル送信ストリームを生成することができる。この場合、ターボストリームに対してはパリティ挿入領域を設けることにより、ターボストリームをより確実に処理することができるようになる。また、本デュアル送信ストリーム生成装置は、デジタル放送送信システムに適用されて、既存のノーマルデータ送信システムと互換性を有しつつ、各種の受信環境における受信性能を改善させることができるようになる。
【発明を実施するための最良の形態】
【００４０】
以下、添付した図面を参照して本発明について詳しく説明する。
【００４１】
図３は、本発明の一実施の形態によるデュアル送信ストリーム生成装置の構成を示すブロック図である。図３によれば、本デュアル送信ストリーム生成装置は、デュプリケイター３１０及びマルチプレクサ３２０を含む。
【００４２】
デュプリケイター３１０は、ターボストリームが受信されると、ターボストリームに対してパリティ挿入領域を設ける役割を果たす。パリティ挿入領域を設ける方法を具体的に説明すれば、ターボストリームの構成単位である各バイトを２または４バイトに分ける。分けられた各バイトには、原バイトのビット値の一部と空データ（例えば、０）が埋められる。空データが埋められた領域がパリティ挿入領域になる。
【００４３】
デュプリケイター３１０の動作をより具体的に説明すれば、次のとおりである。すなわち、入力を２倍大きさにする場合であれば、１バイトに入るビットがＭＳＢからａ、ｂ、ｃ、ｄ、ｅ、ｆ、ｇ、ｈで表され、その順に入力されると仮定する時、デュプリケイター３１０の出力は、ａ、ａ、ｂ、ｂ、ｃ、ｃ、ｄ、ｄ、ｅ、ｅ、ｆ、ｆ、ｇ、ｇ、ｈ、ｈのように表し得る。この場合、ＭＳＢから表すと、ａ、ａ、ｂ、ｂ、ｃ、ｃ、ｄ、ｄからなる１バイトとｅ、ｅ、ｆ、ｆ、ｇ、ｇ、ｈ、ｈからなる１バイトの２バイト出力が順次に出力されることが分かる。
【００４４】
入力を４倍大きさにする場合であれば、デュプリケイター３１０の出力は、ａ、ａ、ａ、ａ、ｂ、ｂ、ｂ、ｂ、ｃ、ｃ、ｃ、ｃ、ｄ、ｄ、ｄ、ｄ、ｅ、ｅ、ｅ、ｅ、ｆ、ｆ、ｆ、ｆ、ｇ、ｇ、ｇ、ｇ、ｈ、ｈ、ｈ、ｈのように表し得る。このように４バイトが出力される。一方、デュプリケイター３１０は、必ずしも入力ビットをコピーする必要はなく、指定された位置以外の位置には他の任意の値、すなわち、空データを入れてもよい。例えば、デュプリケイターが入力を２倍とする場合であれば、上記のａ、ａ、ｂ、ｂ、ｃ、ｃ、…出力の代わりにａ、ｘ、ｂ、ｘ、ｃ、ｘ、…のように２つの連続したビットのうち前部だけが元の入力を保持し、後部には任意の値が入るようにしてもよい。または、これと逆に、後部だけが元の入力を保持するようにしてもよい。出力を４倍にする場合にも、元の入力は一番目、二番目、三番目、四番目の位置の何れか一箇所だけに位置させ、残りには任意の値を入れることもできる。
【００４５】
マルチプレクサ３２０は、別に受信されるノーマルストリームとデュプリケイター３１０で処理されたターボストリームを多重化する。これにより、ノーマルストリームとターボストリームが混在するデュアル送信ストリームを生成することができる。一方、ノーマルストリーム、ターボストリームは、放送撮影装置などのような外部モジュールや、圧縮処理モジュール（例えば、ＭＰＥＧ  ２モジュール）、ビデオエンコーダー、オーディオエンコーダーなどのような各種の内部モジュールから受信することができる。
【００４６】
生成されたデュアル送信ストリームは、ランダム化、エンコーディング、ロバスト処理、同期信号多重化、変調などの過程が施されて受信装置に送信される。この場合、ロバスト処理過程では、デュアル送信ストリームからターボストリームだけを検出し、検出されたターボストリーム内に設けられたパリティ挿入領域、すなわち、デュプリケイター３１０によって設けられたパリティ挿入領域にターボストリームに対するパリティを付加してターボストリームをロバストデータストリームにする作業が行われる。
【００４７】
図４及び図５は、デュプリケイター３１０がパリティ挿入領域を設ける方式の例を説明するための模式図である。先ず、図４は、１／２レート変換方式を示す。デュプリケイター３１０は、ターボストリームの各バイトに対して１／２レート変換方式を適用して２バイトを生成する。図４によれば、Ｄ０〜Ｄ７ビットを含む１バイトを４ビットずつ分けて２つのビット群（Ｄ０〜Ｄ３、Ｄ４〜Ｄ７）を形成する。このような状態で、各ビット群の各ビットに１つの空ビットを並列配置して各ビット群をバイトに拡張させる。結果的に、Ｄ４〜Ｄ７ビットを含む第１のバイト（Ｄ７  ０  Ｄ６  ０  Ｄ５  ０  Ｄ４  ０）、Ｄ０〜Ｄ３ビットを含む第２のバイト（Ｄ３  ０  Ｄ２  ０  Ｄ１  ０  Ｄ０  ０）が生成される。第１及び第２のバイトの各ビット間のビットは、パリティ挿入領域として使われる。すなわち、第１及び第２のバイトの場合、２、４、６、８番目のビットがパリティ挿入領域として使われる。このようなパリティ挿入領域の配置位置は様々に変更され得る。すなわち、２、３、６、７番目ビット、または、３、４、５、６番目ビットをパリティ挿入領域として使ってもよい。
【００４８】
図５は、１／４レート変換方式を示す。デュプリケイター３１０は、ターボストリームの各バイトに対して１／４レート変換方式を適用して４バイトを生成する。図５によれば、Ｄ０〜Ｄ７ビットを含む１バイトを２ビットずつ分けて総計４つのビット群（Ｄ０−Ｄ１、Ｄ２−Ｄ３、Ｄ４−Ｄ５、Ｄ６−Ｄ７）を形成する。このような状態で、各ビット群の各ビットに３つの空ビットを並列配置して各ビット群をバイトに拡張させる。具体的には、Ｄ６、Ｄ７ビットを含む第１のバイト（Ｄ７  ０  ０  ０  Ｄ６  ０  ０  ０）、Ｄ４、Ｄ５ビットを含む第２のバイト（Ｄ５  ０  ０  ０  Ｄ４  ０  ０  ０）、Ｄ２、Ｄ３ビットを含む第３のバイト（Ｄ３  ０  ０  ０  Ｄ２  ０  ０  ０）、Ｄ０、Ｄ１ビットを含む第４のバイト（Ｄ１  ０  ０  ０  Ｄ０  ０  ０  ０）に拡張する。図５によれば、各バイトから２、３、４、６、７、８番目ビットがパリティ挿入領域として使われるが、このような構造に限定されるものではない。
【００４９】
図６は、本発明の他の実施の形態によるデュアル送信ストリーム生成装置の構成を説明するためのブロック図である。図６に示す実施の形態は、図３に示すデュアル送信ストリーム生成装置３００にリード・ソロモン・エンコーダー３３０が加えられた形態である。リード・ソロモン・エンコーダー３３０は、ターボストリームを受信しパリティを付加してエンコードした後、デュプリケイター３１０に提供する役割を果たす。これにより、デュプリケイター３１０は、エンコードされたターボストリームにパリティ挿入領域を設ける。デュプリケイター３１０及びマルチプレクサ３２０の動作は、図３に示す動作と同様であるため、更なる説明は省くことにする。
【００５０】
図７は、図６に示すリード・ソロモン・エンコーダー３３０でエンコードされたパケットの構造の一例を示す図である。図７に示すリード・ソロモン・エンコーダー３３０は、同期信号と、ＰＩＤ（Ｐａｃｋｅｔ  ＩＤｅｎｔｉｔｙ）、及びターボデータ領域とから構成されたターボストリームを受信する。ターボストリームパケット全体は１８８バイトで構成されてよく、このうち、同期信号ＳＹＮＣが１バイト、ＰＩＤが３バイト、ターボデータが１８４バイトを占めてよい。リード・ソロモン・エンコーダー３３０は、ターボストリームのうちの同期信号を除去し、ターボデータ領域に対するパリティを演算して２０バイト大きさのパリティを付加する。結果的に、最終エンコードされたターボストリームの１パケットは、総計２０７バイトで構成され、そのうちの３個のバイトはＰＩＤ、１８４バイトはターボデータ、２０バイトはパリティに割り当てられる。
【００５１】
図８は、図６に示すデュアル送信ストリーム生成装置にインターリーバ３４０が加えられた例を説明するためのブロック図である。インターリーバ３４０は、リード・ソロモン・エンコーダー３３０でエンコードされたターボストリームをインターリーブして、デュプリケイターに提供する役割を果たす。図８においてインターリーバ３４０とデュプリケイター３１０の位置は入れ替わってよい。
【００５２】
図９は、本デュアル送信ストリーム生成装置で生成するデュアル送信ストリームの構造の一例を示す模式図である。図９によれば、デュアル送信ストリームは複数の連続するパケットから構成される。１のパケットは１８８バイトから構成されてよい。具体的には、１パケットは、同期信号ＳＹＮＣ１バイトと、ＰＩＤ３バイト、及びデータ領域１８４バイトから構成される。図９によれば、デュアル送信ストリームのうち所定のパケットだけに対してロバストデータ、すなわち、ターボストリームが配置される。具体的には、図９は、デュアル送信ストリーム１フィールドの３１２パケット中にターボストリーム７８パケットを挿入した形態を示す。この場合、デュアル送信ストリームは、ターボストリーム及びノーマルストリームパケットが１：３の比率にて４パケットずつ繰り返されてなる。すなわち、ターボストリーム１パケット（１８８バイト）とノーマルストリーム３パケット（１８８バイト）が順次に連結される。一方、デュアル送信ストリームの構成は、本発明の各種の実施の形態に応じて変形され得る。
【００５３】
一方、本発明の一実施の形態によるデュアル送信ストリームの生成方法は、図３、６、８を参照して説明できるため、フローチャートの図示は省略する。すなわち、ノーマルストリーム及びターボストリームをそれぞれ別に受信し、ターボストリームだけに対してパリティ挿入領域を設けた後、ターボストリーム及びノーマルストリームを多重化してデュアル送信ストリームを生成することができる。この場合、パリティ挿入領域を設けるに先立って、ターボストリームをエンコードすることができ、エンコードされたターボストリームをインターリーブすることもできる。パリティ挿入領域を設ける方法については、図４及び図５を参照して説明済みであり、エンコードされたターボストリームの構造については、図７を参照して説明済みであるため、更なる説明は省くことにする。
【００５４】
以上では、本発明の好適な実施の形態について図示し説明したが、本発明は、上述した特定の実施の形態に限定されるものではなく、請求の範囲で請求する本発明の要旨を逸脱することなく当該発明の属する技術分野における通常の知識を有する者によって各種の変形実施が可能であることはいうまでもなく、かかる変形実施は、本発明の技術的思想や展望から個別のものとして理解されてはいけないであろう。
【図面の簡単な説明】
【００５５】
【図１】従来のデジタル放送（ＡＴＳＣ  ＶＳＢ）送受信システムの構成を示すブロック図である。
【図２】従来のＡＴＳＣ  ＶＳＢデータのフレームの構造を示す例示図である。
【図３】本発明の一実施の形態によるデュアル送信ストリーム生成装置の構成を示すブロック図である。
【図４】図３のデュアル送信ストリーム生成装置のパリティ挿入領域の生成過程の各種の例を説明するための模式図である。
【図５】図３のデュアル送信ストリーム生成装置のパリティ挿入領域の生成過程の各種の例を説明するための模式図である。
【図６】本発明の他の実施の形態によるデュアル送信ストリーム生成装置の構成を示すブロック図である。
【図７】図６のデュアル送信ストリーム生成装置でリード・ソロモン・エンコードされたパケット構造の一例を示す模式図である。
【図８】本発明のまた他の実施の形態によるデュアル送信ストリーム生成装置の構成を示すブロック図である。
【図９】本デュアル送信ストリーム生成装置で生成されるデュアル送信ストリームの構成の一例を示す模式図である。
【符号の説明】
【００５６】
３１０  デュプリケイター
３２０  マルチプレクサ
３３０  リード・ソロモン・エンコーダー
３４０  インターリーバ
【図１】
2009513057.tif 000003
【図２】
2009513057.tif 000004
【図３】
2009513057.tif 000005
【図４】
2009513057.tif 000006
【図５】
2009513057.tif 000007
【図６】
2009513057.tif 000008
【図７】
2009513057.tif 000009
【図８】
2009513057.tif 000010
【図９】
2009513057.tif 000011
【国際調査報告】
2009513057.tif 000012
2009513057.tif 000013
2009513057.tif 000014